(57)【特許請求の範囲】
【請求項１】
上下に延在する複数の足場支柱を前後左右に連結して建屋の外側を覆うように略格子状に立体的に組み立てられるくさび式足場の組み立て時に、前記くさび式足場の内側に配設される踏板よりも上側に突出する態様で取り付けられ、その突出する上部に前記踏板に沿って親綱を張るための親綱支柱であって、
上下方向に延在し、その上部に前記親綱を支持するための親綱支持部が設けられた支柱本体と、
前記支柱本体に取り付けられ、前記踏板を取り付けるためのブラケットまたは前記踏板に固定される支持部材と
前記支柱本体に取り付けられ、前記足場支柱に設けられたくさび受けに打ち込まれるくさびとを備え、
前記支柱本体が前記足場支柱に取り付けられた状態を上側から見て、前記支持部材の固定部が、前記親綱に沿う方向に延びる前記支柱本体の中心線よりも前記くさび式足場の内側に位置し、前記くさびが、前記足場支柱に取り付けられた状態を上側から見て、前記親綱に沿う方向に延びる前記支柱本体の中心線よりも前記くさび式足場の外側に位置していることを特徴とする親綱支柱。
【発明の詳細な説明】
【技術分野】
【０００１】
本発明は、くさび式足場の組み立て作業時に、作業者が命綱を取り付けるための親綱を張るために用いられる親綱支柱および親綱支柱の取付構造に関する。
【背景技術】
【０００２】
建物の外装を修繕するなどのために、建物の外側を覆うように工事用の足場が組み立てられる。図１１は、建物の外側に足場５０を組み立てる状態を簡略に示す平面図である。この足場５０は、図１１に示すように、上下に延在する複数の足場支柱６０を前後左右に配置・連結して建屋ＴＡの外側を覆うように略格子状に立体的に組み立てられる。また、この足場５０の内側には、作業者が乗って作業をするための踏板８０が取り付けられる。このような工事用の足場５０は、下側（下階、下段）の１ユニット分が組み立てられた後に最上部に踏板８０が取り付けられ、この踏板８０よりも上側（上階、上段）に次の１ユニットが組み立てられる。そして、これを繰り返すことで、最終的には建物の屋上に届く高さまで複数段のユニットが上下に組み上げられてゆく。
【０００３】
上述した上側の１ユニットを組み立てる際には、足場５０の最上部の踏板８０に立つ作業者が命綱を取り付けるための親綱支柱３０１が仮設される（例えば、特許文献１〜３参照）。より詳細には、最上部の踏板８０よりも上側に突出するように複数の親綱支柱３０１が足場支柱６０に間隔を空けて仮設され、これらの親綱支柱３０１の上部をつなぐようにして略水平に親綱１０が張られる。作業者は、この親綱１０に命綱のフックを引っ掛けて足場組み立て作業の安全性を確保している。そして、この１ユニットの組み立て作業が完了した後に親綱支柱３０１が取り外され、取り外された親綱支柱３０１は、新たに組み立てられるさらに上側の１ユニットに持ち上げられて再度組み立てられる。なお、図１１において説明を容易にするために、足場支柱６０のみが立設される箇所を白色の円で表示し、親綱支柱３０１が取り付けられる足場支柱６０を黒色の円で表示する。
【先行技術文献】
【特許文献】
【０００４】
【特許文献１】実開平６−５６３２０号公報
【特許文献２】特開２００２−３５６９８９号公報
【特許文献３】特開２００５−０６８６５１号公報
【発明の概要】
【発明が解決しようとする課題】
【０００５】
建屋ＴＡに沿って隣り合う足場支柱６０は、図１１に示すように、間隔Ｘを空けて仮設される。一方、親綱支柱３０１は、複数の足場支柱６０のうちの３〜４個置きに間隔Ｙを空けて足場の外側の位置に取り付けられ、それぞれの親綱支柱３０１の上部に親綱１０が足場の外側に位置するようにして張られる。そして、作業者は、命綱のフックを内側から親綱１０に引っ掛けたままの状態で水平に移動しながら組み立て作業を行う。
【０００６】
しかしながら、作業者が親綱１０に沿って移動するときに、作業者のフックが上側に突出する足場支柱６０に当たってしまうため、上述した間隔Ｘよりも長く移動することができない。そのため、作業者は、足場支柱６０の間隔Ｘを超えて移動する場合、フックを外して足場支柱６０を跨いだ隣の親綱１０に付け替えて移動しなければならず、足場組み立て作業に時間がかかっていた。
【０００７】
本発明は、上述した事情に鑑みてなされたものであり、その目的は、隣り合う足場支柱の間隔を超えて移動する場合であっても、フックの付け替え作業が生じない親綱支柱および親綱支柱の取付構造を提供するためのものである。
【課題を解決するための手段】
【０００８】
上述課題を解決するために、本発明は、上下に延在する複数の足場支柱を前後左右に連結して建屋の外側を覆うように略格子状に立体的に組み立てられるくさび式足場の組み立て時に、前記くさび式足場の内側に配設される踏板よりも上側に突出する態様で取り付けられ、その突出する上部に前記踏板に沿って親綱を張るための親綱支柱であって、上下方向に延在し、その上部に前記親綱を支持するための親綱支持部が設けられた支柱本体と、前記支柱本体に取り付けられ、前記踏板を取り付けるためのブラケットまたは前記踏板に固定される支持部材と前記支柱本体に取り付けられ、前記足場支柱に設けられたくさび受けに打ち込まれるくさびとを備え、前記支柱本体が前記足場支柱に取り付けられた状態を上側から見て、前記支持部材の固定部が、前記親綱に沿う方向に延びる前記支柱本体の中心線よりも前記くさび式足場の内側に位置し、前記くさびが、前記足場支柱に取り付けられた状態を上側から見て、前記親綱に沿う方向に延びる前記支柱本体の中心線よりも前記くさび式足場の外側に位置していることを特徴とする。
【発明の効果】
【００１４】
本発明に係る親綱支柱では、踏板を取り付けるためのブラケットまたは前記踏板に固定される支持部材と、前記支柱本体に取り付けられ、前記足場支柱に設けられたくさび受けに打ち込まれるくさびとを備え、前記支柱本体が前記足場支柱に取り付けられた状態を上側から見て、前記支持部材の固定部が、前記親綱に沿う方向に延びる前記支柱本体の中心線よりも前記くさび式足場の内側に位置し、前記くさびが、前記足場支柱に取り付けられた状態を上側から見て、前記親綱に沿う方向に延びる前記支柱本体の中心線よりも前記くさび式足場の外側に位置しているので、親綱支柱の支柱本体をくさび式足場側に取り付ける際に、このブラケットまたは踏板の近傍に支柱本体を配置して組み付け易くすることができる。より詳細には、踏板に沿って（建屋に沿って）隣り合う足場支柱を結んだ線よりも内側に支柱本体を配置することで、親綱支持部がこの結んだ線よりも内側に配置されるようになると共に、親綱支持部で親綱を張るときに、親綱を足場の内側で張ることができるようになる。そのため、作業者は、足場支柱の間隔Ｘを超えて踏板に沿って移動する場合であっても、フックが足場支柱に当たることがなくなり、フックを外して足場支柱を跨いだ隣の親綱に付け替えなくても間隔Ｘを超え、間隔Ｙ（図１１参照）の距離まで移動することができるようになる。その結果、足場組み立て作業の手間を少なくし、組み立て作業時間を短縮することができる。
【図面の簡単な説明】
【００１７】
【図１】本発明の第１の実施の形態に係る親綱支柱をくさび式足場の足場支柱に組み付けた状態を外側斜め上方から見た斜視図である。
【図２】親綱支柱の取付部分を拡大して示すものであって、図１の平面図である。
【図３】図１の右側面図である。
【図４】図１を外側（踏板の反対側）から見た側面図である。
【図５】くさび式足場の概要を示す斜視図である。
【図６】くさび式足場に使用される支柱を単体で示す図であって、（Ａ）は正面図、（Ｂ）は側面図、（Ｃ）はＢ−Ｂ断面図である。
【図７】第２の実施形態に係る親綱支柱であって、図３に対応するものである。
【図８】図７の平面図である。
【図９】第３の実施の形態に係る親綱支柱であって、図３に対応するものである。
【図１０】図９の平面図である。
【図１１】建屋の壁面に沿って足場を組み立てる状態を示す平面図である。
【発明を実施するための形態】
【００１８】
（第１実施形態）
以下、本発明の第１の実施形態に係る親綱支柱１およびその取り付け構造について、図面を用いて詳細に説明する。なお、以下の説明で使用する外側、内側、手前側、および上下、前後、左右の方向は、足場５０の踏板８０の上に乗った作業者が親綱支柱１を見た方向（図２の紙面左側から見た方向）をいうものとする。また、従来技術で説明した部材と同一の部材については、同一の符号を付して説明する。
【００１９】
親綱支柱１は、図１〜図４で示すようなくさび式足場５０（くさび緊結式足場ともいう）の足場支柱６０に取り付けられる。まず最初に、このくさび式足場５０の構造について簡単に説明する。図５は、くさび式足場５０の概要を示す斜視図であり、図６は、くさび式足場５０に使用される足場支柱６０の３面図である。
【００２０】
くさび式足場５０は、図５に示すように、複数の足場支柱６０、ブラケット７０および手すり９０を略格子状に立体的に組み立てることによって構成される。足場支柱６０の下端部には、足場支柱６０の上下位置を調整可能なジャッキベース５２が設けられ、このジャッキベース５２の下側には接地面（例えば、地面など）を保護する敷板５１が敷設される。
【００２１】
足場支柱６０は、図６（Ａ）〜図６（Ｃ）に示すように、上下方向に延在するポール６１と、このポール６１の外周面に強固に取り付けられた複数のくさび受け６２Ａ〜６２Ｄとで構成されている。このポール６１は、中空丸棒によって形成されており、その上部には、図６（Ａ）および図６（Ｂ）に示すように、径の小さい段付部６１Ａが形成されている。また、段付部６１Ａには、左右方向に貫通する上側取付穴６１Ｂが設けられている。さらに、ポール６１の下部には、左右に貫通する下側取付穴６１Ｃが設けられている。この段付部６１Ａには、上側に組み付けられるポール６１の下側が挿入され、取付穴６１Ｂ、６１Ｃの位置を合わせてボルト等で固定される。
【００２２】
くさび受け６２Ａ〜６２Ｄは、図６（Ｃ）に示すように、断面を上側から見て、ポール６１の円周方向に９０度の間隔を空けて４つが固定されている（外側のくさび受けを符号６２Ａ、右側のくさび受けを符号６２Ｂ、左側を符号６２Ｃ、内側（手前側）を符号６２Ｄで示す）。また、くさび受け６２Ａ〜６２Ｄは、図６（Ａ）、図６（Ｂ）に示すように、ポール６１を挟んで対向する１対（６２Ａ、６２Ｄ）と他の１対（６２Ｂ、６２Ｃ）とが、高さ方向において少しずれて配置されている。この４つのくさび受け６２Ａ〜６２Ｄを１組として、ポール６１の高さ方向に所定のピッチＬ（間隔Ｌ）を空けて複数組（図５では、８組）が設けられている。
【００２３】
図５で示すブラケット７０は、丸棒形状に形成されており、その両端にくさび７１がそれぞれ設けられている。これらのくさび７１は、前後方向に隣り合う足場支柱６０の内側のくさび受け６２Ｄにそれぞれ打ち込まれる。これにより、くさび式足場５０の前後方向が固定される。
また、手すり９０にもその両端にくさび９１がそれぞれ設けられており、これらのくさび９１は、左右方向に隣り合う足場支柱６０のくさび受け６２Ｂおよび６２Ｃに打ち込まれる。これにより、くさび式足場５０の左右方向が固定される。
これらのブラケット７０および手すり９０の取り付け位置や個数は、建物の形状や足場の強度によって任意に選択することができ、くさび受け６２Ａ〜６２Ｄの位置に合わせて最適な位置に適宜打ち込まれる。
【００２４】
また、左右に隣り合って取り付けられる２つのブラケット７０には、図５に示すように、踏板８０が取り付けられる。この踏板８０は、左右の４カ所に設けられた連結フック８１をブラケット７０にそれぞれ上から引っ掛けることで取り付けられる。この踏板８０によって、くさび式足場５０の最上部に作業者が乗ることができるようになり、くさび式足場５０の下側の１ユニットが完成する。この作業を繰り返して上側に複数ユニットを組み上げることで、全体として建築物の側面を覆うようなくさび式足場５０が完成する。
【００２５】
このように組み立てられたくさび式足場５０では、足場支柱６０の外側に位置するくさび受け６２Ａには、ブラケット７０や手すり９０のくさび７１、９１が取り付けられることはなく、いずれのくさび受け６２Ａも自由に利用することができる。また、足場支柱６０の踏板８０が取り付けられる高さに位置する４つのくさび受け６２Ａ〜６２Ｄには、図２に示すように、ブラケット７０が打ち込まれるくさび受け６２Ｄのみが使用され、他のくさび受け６２Ａ〜６２Ｃは使用されない。また、その下側（上側から二番目）に位置する４つのくさび受け６２Ａ〜６２Ｄは、ブラケット７０、手すり９０のいずれも取り付けられないので、いずれのくさび受け６２Ａ〜６２Ｄも自由に利用することができる。
【００２６】
上述した足場５０に対し、本第１の実施形態に係る親綱支柱１が取り付けられる。図１は、親綱支柱１をくさび式足場の足場支柱に組み付けた状態を示す斜視図である。また、図２は図１の平面図、図３は図１の右側面図、図４は図１を外側から見た図である。
【００２７】
親綱支柱１は、図１〜図４に示すように、上下方向に直線状に延びる柱状の支柱本体２と、この支柱本体２の下部に位置し、上下に間隔を空けて設けられた２つの支持部３Ａ、３Ｂと、支柱本体２の上端部に取り付けられた親綱支持部４とで構成されている。
【００２８】
支柱本体２は、その断面が中空円柱形状に形成されており、軽量かつ曲げ剛性が高いものが使用されている。なお、その断面形状は円柱形状に限られず、例えば中空角形（角柱）形状のものであってもよく、汎用されている中空丸棒や中空角パイプなどを利用したものであってもよい。
【００２９】
支持部３Ａは、図１〜図４に示すように、支柱本体２の外周面に取り付けられた取付部５と、この取付部５の外周部に取り付けられた支持部材６とで構成されている。
取付部５は、支柱本体２の外周形状に合わせてリング状に形成されている。この取付部５は、支柱本体２の周方向に沿って回動させることができるように構成されている。これにより、支柱本体２に対して周方向の角度を調整することができる。また、取付部５は、支柱本体２の上下方向にスライドして移動させることができるように構成されている。これにより、取付部５の上下方向の位置を調整することができる。
【００３０】
また、取付部５の側部には、取付部５の外側方から支柱本体２の中心に向かって締め込み可能なジャッキボルト５Ａが取り付けられている。このジャッキボルト５Ａは、上述した取付部５の角度および上下方向の位置をそれぞれ調整した後に締め付けることによって、取付部５が支柱本体２に対し適正な位置で固定されるようになる。
【００３１】
支持部材６は、鋼製の板状部材を折り曲げて形成されたものであり、取付部５に溶接等で強固に取り付けられている。より詳細には、支持部材６は、図２に示すように支柱本体２を足場支柱６０に対して右手前側付近に配置した状態を上側から見て、取付部５の左側前部から左斜め前側に向けて斜めに延在し、その手前側端部からブラケット７０の延在方向に対して略直交するように折り曲げられている。
【００３２】
また、支持部材６には、上述した略直交するように折り曲げられた部分に、固定部６Ａが形成されている。この固定部６Ａは、ブラケット７０にその上側から引っ掛けて固定できるように、下側が開口し上側に向かって切り欠かれた形状に形成されている。この切欠きの形状はブラケット７０の外径とほぼ一致し、ブラケット７０の外側面に隙間無く嵌め込まれるようになっている。この固定部６Ａは、図２に示すように、ブラケット７０に取り付けられる踏板８０の連結フック８１と前後方向で干渉しない位置でブラケット７０に引っ掛けられるように形成されている。
【００３３】
なお、固定部６Ａには、支持部材６をブラケット７０に取り付けた状態で、下側の開口部分をさらにその下側から覆う（組み付けられたブラケット７０を下側から支持・固定するように覆う）ように固定部材（図示せず）を設けるようにしてもよい。この固定部材を設けることで、親綱支柱１に上方向へ力が作用したとしても、固定部材がこの力を受けるようになる。これにより、親綱支柱１が上側に抜けるのを防止することができる。
【００３４】
支持部３Ｂは、図１〜図４に示すように、支持部３Ａよりも下側であって、支柱本体２の下端部分に設けられている。この支持部３Ｂは、支柱本体２の外周面に取り付けられた座部７と、この座部７の先に取り付けられ、足場支柱６０の右側のくさび受け６２Ｂに打ち込み可能なくさび８とで構成されている。
【００３５】
くさび８は、所定の厚みを有しており、座部７から下側に向かって突出する態様で取り付けられている。このくさび８の形状は、ブラケット７０のくさび７１と同じであり、上側から下側に向かうに従い幅が狭くなるように形成されている。これにより、くさび８は、くさび受け６２Ｂの上側から下側に向かって隙間なく打ち込まれるようになる。
【００３６】
また、支持部材６の固定部６Ａとくさび８との位置関係は、図２に示すように支柱本体２が足場支柱６０（足場５０）に取り付けられた状態を上側から見て、親綱１０に沿う方向に延びる支柱本体２の中心線２Ａ（親綱１０の張られる線と一致する）よりも足場５０の内側に支持部材６の固定部６Ａが位置するとともに、中心線２Ａよりも足場５０の外側にくさび８が位置するように構成されている。
【００３７】
親綱支持部４は、図１〜図４に示すように、支柱本体２の上端部に取り付けられている。この親綱支持部４の上部には、親綱１０を引っ掛けて保持するための支持アーム４Ａが形成されている。この支持アーム４Ａは、円弧状の２本のアームが親綱１０を前後方向から覆うようにして保持する。また、親綱１０は、２本のアームの間を通して着脱できるようになっている。なお、親綱１０を容易に張ることができるように、支持アーム４Ａの内側に滑車（図示せず）を設け、この滑車上で親綱１０を張るようにしてもよい。
【００３８】
次に、親綱支柱１の組み立て方法および作用について説明する。
くさび式足場５０の一番下側の１ユニットが完成した後、作業者は下側のユニットの踏板８０に立った状態で、親綱支柱１を仮設する。このとき、仮設する親綱支柱１の親綱支持部４内には、予め親綱１０を通しておく。
【００３９】
親綱支柱１の下側の支持部３Ｂのくさび８は、図１〜図４に示すように、足場支柱６０の右側に位置するくさび受け６２Ｂに打ち込まれる。また、上側の支持部３Ａの支持部材６は、固定部６Ａがブラケット７０に上側から引っ掛けられる態様で取り付けられる。これにより、親綱支柱１は、親綱支持部４が踏板８０よりも上側に突出する態様で取り付けられ、かつ、支持部３Ａ、３Ｂの上下２点で強固かつ安定的に取り付けられるようになる。
【００４０】
このような構造を有する親綱支柱１は、図２に示すように、踏板８０に沿って左右に隣り合って配置される足場支柱６０を結んだ線６０Ａよりも内側に支柱本体２が配置されるようになる。また、支柱本体２の上部に設けられた親綱支持部４も同様に、線６０Ａの内側に位置するようになる。そのため、親綱支持部４で支持される親綱１０も線６０Ａの内側に張られるようになる。
【００４１】
その後、親綱支持部４に予め通しておいた親綱１０を約３０ｋｇの張力で緊張させて親綱１０を張る。そして、作業者は、次の上側のユニットの踏板８０（最上段の踏板８０）に登って、親綱１０に命綱のフックを引っ掛けて、この上側の１ユニットを組み立ててゆく。
【００４２】
この親綱支柱１の仮設作業の際、作業者は、下側の踏板８０の上に立ったままの姿勢でくさび８をくさび受け６２Ａの位置に合わせて打ち込むだけでよい。また、外すときも立ったままの姿勢で親綱支柱１を上側に引き抜くだけでよく、作業性がよい。
【００４３】
本発明の第１実施形態に係る親綱支柱１によれば、上下に延在する複数の足場支柱６０を前後左右に連結して建屋Ｔの外側を覆うように略格子状に立体的に組み立てられるくさび式足場５０の組み立て時に、くさび式足場５０の内側に配設される踏板８０よりも上側に突出する態様で取り付けられ、その突出する上部に踏板８０に沿って左右に親綱１０を張るための親綱支柱１であって、上下方向に直線状に延在し、その上部に親綱１０を支持するための親綱支持部４が設けられた支柱本体２と、支柱本体２に取り付けられ、踏板８０を取り付けるためのブラケット７０に固定される支持部材６とを備えているので、親綱支柱１の支柱本体２を足場５０側に取り付ける際に、このブラケット７０の近傍に支柱本体２を配置して組み付け易くすることができる。より詳細には、踏板８０に沿って（建屋Ｔに沿って）隣り合う足場支柱６０を結んだ線６０Ａよりも内側に支柱本体２を配置することで、親綱支持部４がこの線６０Ａよりも内側に配置されるようになると共に、親綱支持部４で親綱１０を張るときに、親綱１０を足場５０の内側で張ることができるようになる。
【００４４】
親綱支柱１には、作業者の体重を支える程度の大きな荷重が作用する。そのため、支柱本体２は、支柱本体２からその取付部までの長さが短い方か大きなモーメント力を受けないようになり、構造を簡素化できる。ゆえに、支柱本体２を線６０Ａよりも内側に配置するためには、支持部材６を用いて支柱本体２をブラケット７０に取り付けて支持されるようにすることが必要になる。
【００４５】
これにより、作業者は、足場支柱６０の間隔Ｘを超えて踏板８０に沿って移動する場合であっても、フックが足場支柱６０に当たることがなくなり、フックを外して足場支柱６０を跨いだ隣の親綱１０に付け替えなくても間隔Ｘを超え、間隔Ｙ（図１１参照）の距離まで移動することができるようになる。その結果、足場組み立て作業の手間を少なくし、組み立て作業時間を短縮することができる。
【００４６】
また、支柱本体２に取り付けられ、足場支柱６０に設けられたくさび受け６２Ｂに打ち込まれるくさび８を備えているので、既設のくさび受け６２Ａ〜６２Ｄを用いて容易に支柱本体２を固定することができる。そのため、親綱支柱１を仮設する作業時間が短縮され、かつ、容易に組み立て作業を行うことができるようになる。
【００４７】
さらに、支柱本体２が足場支柱６０に取り付けられた状態を上側から見て、支持部材６の固定部６Ａが、親綱１０に沿う方向に延びる支柱本体２の中心線２Ａよりもくさび式足場５０の内側に位置し、くさび８が、足場支柱６０に取り付けられた状態を上側から見て、支柱本体２の中心線２Ａよりもくさび式足場５０の外側に位置しているので、親綱支柱１を組み立てようとする場合に、支柱本体２が常に中心線２Ａよりも足場５０の内側に配置されるようになる。そのため、作業者が組み立て時に誤って親綱支柱１を線６０Ａよりも外側に配置して組み立てることがなくなる。その結果、確実に支柱本体２を内側に配置することができると共に、組み立て作業を容易に行えるようになる。
【００４８】
なお、本第１の実施形態では、親綱支柱１の支柱本体２は、取り付けられる足場支柱６０に対して右斜め前側に配置されるようにしているが（図２参照）、左斜め前側に配置されるように構成することもできる。より詳細には、足場支柱６０を中心にして左右対称に親綱支柱を構成する。これにより、くさび８を左側のくさび受け６２Ｃに打ち込むようにすると共に、支持部材６の固定部６Ａをブラケット７０に左側から引っ掛けるようにすることで、支柱本体２を左斜め前側に配置することもできる。この構成によっても、親綱支柱１の親綱支持部４を中心線２Ａよりも内側に配置することができ、親綱１０を線６０Ａよりも内側で張ることができるようになる。
【００４９】
また、本第１の実施形態では、支持部３Ａにおいて、支持部材６の固定部６Ａをブラケット７０に固定するようにしているが、ブラケット７０の代わりに踏板８０に固定するようにしてもよい。これによっても、支柱本体２を足場５０側に取り付ける際に、この踏板８０或いはブラケット７０の近傍に支柱本体２を配置し組み立て易くすることができると共に、親綱支柱１を支持部３Ａで確実に固定することができる。
【００５０】
さらに、支持部３Ｂでは、くさび８をくさび受け６２Ｂに打ち込むようにしているが、くさび８を用いずに足場支柱６０に固定する構造であってもよい。例えば、足場支柱６０を側方からクランプで掴むようにして固定する構造が考えられる。この構成によれば、くさび受け６２Ｂの位置によらず、支柱本体２を足場支柱６０に取り付けることができる。
【００５１】
（第２実施形態）
以下、本発明の第２の実施の形態に係る親綱支柱１０１およびその取り付け構造について図７および図８を用いて説明する。図７は、第２の実施形態に係る親綱支柱１０１であって、図３に対応するものである。また、図８は、図７の平面図である。なお、以下の説明では、第１実施形態と異なる箇所についてのみ説明し、同一の構造については同一の符号を付すことによってその説明を省略する。
【００５２】
親綱支柱１０１は、図７および図８に示すように、上下方向に延びる柱状の支柱本体１０２と、この支柱本体１０２の下部に位置し、くさび受けのピッチＬに合わせて上下に間隔を空けて取り付けられる２つの支持部１０３Ａ、１０３Ｂと、支柱本体１０２の上端部に取り付けられた親綱支持部４とで構成されている。
【００５３】
支柱本体１０２は、図７に示すように、第１実施形態で使用される支柱本体２を上下の２カ所で鈍角に折り曲げて形成したものである。より詳細には、図７および図８に示すように、支柱本体１０２は、下端部から上側に直線状に延在し、略中央の高さで緩やかに右斜め手前側に折り曲げられ（図８参照）、線６０Ａを超えて内側の位置で再び折り曲げられたのち、支柱本体１０２の下側部分と略平行に上側に直線状に延びるように（図７参照）形成されている。このように、支柱本体１０２の下側部分の中心線１０２Ａの位置と上側部分の中心線１０Ａの位置は、上側から見て前後方向でずれた位置に配置されており、親綱支持部４は、この上側部分の上端（中心線１０Ａと親綱支持部４の中心線と一致する）に設けられている。
【００５４】
支持部１０３Ａ、１０３Ｂは、支柱本体１０２の上述した下側部分にピッチＬの間隔を空けて配置されている。この支持部１０３Ａ、１０３Ｂは、それぞれ同じ構造に形成されており、それぞれにくさび８が取り付けられ、このくさび８が足場支柱６０の外側のくさび受け６２Ａに打ち込まれるようになる。これにより、親綱支柱１０１が足場支柱６０に固定されるようになる。
【００５５】
本発明の第２の実施形態に係る親綱支柱１０１によれば、支柱本体１０２を折り曲げて構成し、親綱支持部４の中心線１０Ａの位置を支柱本体１０２の下側の中心線１０２Ａの位置よりもずらして配置することで、親綱支持部４を線６０Ａよりも足場５０の内側にずらして配置することができる。これにより、親綱支持部４で張られる親綱１０を線６０Ａよりも足場５０の内側で張ることができるようになる。
【００５６】
なお、本第２の実施形態に係る親綱支柱１０１では、支柱本体１０２の支持部１０３Ａ、１０３Ｂに設けたくさび８を、足場支柱６０の外側のくさび受け６２Ａに打ち込むようにして支柱本体１０２を取り付けているが、左側のくさび受け６２Ｃ或いは右側のくさび受け６２Ｂに打ち込んで固定するようにしてもよい。この場合、支柱本体１０２は、足場支柱６０に対して左側或いは右側に配置されるようになるので、支柱本体１０２の曲げ角度を変更して製作することによって中心線１０Ａ、１０２Ａのずらし量を変更する。これにより、親綱支持部４を線６０Ａを内側に配置することができ、親綱１０を線６０Ａよりも足場５０の内側で張ることができるようになる。
【００５７】
また、本第２の実施形態では、支持部１０３Ａ、１０３Ｂのくさび８をくさび受け６２Ａ〜６２Ｃのいずれかに打ち込むようにして支柱本体１０２を取り付けているが、くさび８を用いずに足場支柱６０に固定する構造であってもよい。例えば、足場支柱６０を側方からクランプで掴むようにして固定する構造が考えられる。この構成によれば、くさび受け６２Ａ〜６２Ｃの位置によらず、支柱本体１０２を足場支柱６０に取り付けることができる。さらには、第１の実施形態で記載したように、支柱本体１０２をブラケット７０または踏板８０に取り付けるようにしてもよい。
【００５８】
（第３実施形態）
以下、本発明の第３の実施の形態に係る親綱支柱２０１およびその取り付け構造について図９および図１０を用いて説明する。図９は、第３の実施形態に係る親綱支柱２０１であって、図３に対応するものである。また、図１０は、図９の平面図である。なお、以下の説明では、第１実施形態と異なる箇所についてのみ説明し、同一の構造については同一の符号を付すことによってその説明を省略する。
【００５９】
親綱支柱２０１は、図９および図１０に示すように、上下方向に直線状に延びる柱状の支柱本体２０２と、この支柱本体２０２の下部に位置し、くさび受けのピッチＬに合わせて上下に間隔を空けて取り付けられる２つの支持部２０３Ａ、２０３Ｂと、支柱本体２０２の上端に設けられた親綱支持部取付板２０９と、この親綱支持部取付板２０９のさらに上側に取り付けられた親綱支持部４とで構成されている。
【００６０】
支柱本体２０２は、上端から下端までが上下に直線状に延びる柱状に形成されており、第１の実施形態で説明した支柱本体２と同じ構造を有する。この支柱本体２０２の上端には、図１０に示すように上側から見て、支柱本体２０２の中心線２０２Ａから前方斜め右側に向けて延びており、線６０Ａよりも足場５０の内側まで延在する親綱支持部取付板２０９が設けられている。親綱支持部４は、この親綱支持部取付板２０９の上側であって、線６０Ａよりも内側の位置に取り付けられている。すなわち、親綱支持部４の中心線１０Ａの位置と支柱本体２０１の中心線２０２Ａの位置は、上側から見て前後方向でずれた位置に配置されている。
【００６１】
支持部２０３Ａ、２０３Ｂは、支柱本体２の上述した下側部分にピッチＬの間隔を空けて配置されている。この支持部２０３Ａ、２０３Ｂは、それぞれ同じ構造に形成されており、それぞれにくさび８が取り付けられ、このくさび８が足場支柱６０の外側のくさび受け６２Ａに打ち込まれるようになる。これにより、親綱支柱２０１が足場支柱６０に固定されるようになる。
【００６２】
本発明の第３の実施形態に係る親綱支柱２０１によれば、上下方向に直線状に延びる支柱本体２０２の上端に親綱支持部取付板２０９を設け、親綱支持部４の中心線１０Ａの位置を支柱本体２０２の中心線２０２Ａの位置よりもずらして配置することで、親綱支持部４を線６０Ａよりも足場５０の内側にずらして配置することができる。これにより、親綱支持部４で張られる親綱１０を線６０Ａよりも足場５０の内側で張ることができるようになる。
【００６３】
なお、本第３の実施形態に係る親綱支柱２０１では、支柱本体２０２の支持部２０３Ａ、２０３Ｂに設けたくさび８を、足場支柱６０の外側のくさび受け６２Ａに打ち込むようにして支柱本体２０２を取り付けているが、第２実施形態と同様に、左側のくさび受け６２Ｃ或いは右側のくさび受け６２Ｂに打ち込んで固定するようにしてもよい。この場合、支柱本体２０２は、足場支柱６０に対して左側或いは右側に配置されるようになるので、親綱支持部取付板２０９の延在長さを変更して製作することによって中心線１０Ａ、２０２Ａのずらし量を変更する。これにより、親綱支持部４を線６０Ａよりも足場５０の内側に配置することができ、親綱１０を線６０Ａよりも内側で張ることができるようになる。
【００６４】
また、本第３の実施形態では、支持部２０３Ａ、２０３Ｂのくさび８をくさび受け６２Ａ〜６２Ｃのいずれかに打ち込むようにして支柱本体２０２を取り付けているが、くさび８を用いずに足場支柱６０に固定する構造であってもよい。例えば、足場支柱６０を側方からクランプで掴むようにして固定する構造が考えられる。この構成によれば、くさび受け６２Ａ〜６２Ｃの位置によらず、支柱本体２０２を足場支柱６０に取り付けることができる。さらには、第１の実施形態で記載したように、支柱本体２０２をブラケット７０または踏板８０に取り付けるようにしてもよい。
【符号の説明】
【００６５】
１、１０１、２０１  親綱支柱
２、１０２、２０２  支柱本体
２Ａ  親綱に沿う方向に延びる支柱本体の中心線
３Ａ、１０３Ａ、２０３Ａ、３Ｂ、１０３Ｂ、２０３Ｂ  支持部
４  親綱支持部
４Ａ  支持アーム
５  取付部
５Ａ  ジャッキボルト
６  支持部材
６Ａ  固定部
７  座部
８  くさび
１０  親綱
１０Ａ  親綱支持部の中心線
５０  くさび式足場
５１  敷板
５２  ジャッキベース
５３  足場支柱を結んだ線
５４  親綱の中心線
６０  足場支柱
６１  ポール
６１Ａ  段付部
６１Ｂ  上側取付穴
６１Ｃ  下側取付穴
６２Ａ、６２Ｂ、６２Ｃ、６２Ｄ  くさび受け
７０  ブラケット
７１  くさび
８０  踏板
８１  連結フック
９０  手すり
９１  くさび
１０２Ａ、２０２Ａ  支柱本体の中心線
２０９  親綱支持部取付板
Ｌ  ピッチ、間隔
ＴＡ  建屋
Ｘ  足場支柱の間隔
Ｙ  親綱支柱の間隔
【要約】
【課題】隣り合う足場支柱の間隔を超えて移動する場合であっても、フックの付け替え作業が生じない親綱支柱およびその取り付け構造を提供する。
【解決手段】上下に延在する複数の足場支柱６０を前後左右に連結して建屋Ｔの外側を覆うように略格子状に立体的に組み立てられるくさび式足場５０の組み立て時に、くさび式足場５０の内側に配設される踏板８０よりも上側に突出する態様で取り付けられ、その突出する上部に踏板８０に沿って親綱１０を張るための親綱支柱１であって、上下方向に延在し、その上部に親綱１０を支持するための親綱支持部４が設けられた支柱本体２と、支柱本体２に取り付けられ、踏板８０を取り付けるためのブラケット７０または踏板８０に固定される支持部材６とを備えた。
【選択図】図１【図１】
0005479645.tif 000002
【図２】
0005479645.tif 000003
【図３】
0005479645.tif 000004
【図４】
0005479645.tif 000005
【図５】
0005479645.tif 000006
【図６】
0005479645.tif 000007
【図７】
0005479645.tif 000008
【図８】
0005479645.tif 000009
【図９】
0005479645.tif 000010
【図１０】
0005479645.tif 000011
【図１１】
0005479645.tif 000012